(57)【要約】【課題】  屋外環境を考慮して、利用者に合った空調環境の快適性を実現することができる空調管理システムを提供する。【解決手段】  空間の温度を変動させる空調装置１の動作を管理する空調管理装置（コントローラ２、センターサーバ４）であって、コントローラ２の受信部２ｂは、空調装置１の運転履歴を取得し、センターサーバ４の受信部４ａは、空間内または空間外の環境に関する環境情報を取得し、記憶部４ｃは、運転履歴、環境情報を時系列に沿って互いに対応付けて記憶し、アルゴリズム生成部４ｄは、記憶部４ｃを参照し、運転履歴および環境情報に基づいて、環境毎に適した空調装置１の目標温度を指示する動作アルゴリズムを生成する。【選択図】図１
2014016093.tif 000002
【特許請求の範囲】
【請求項１】
空調対象となる空間の温度を変動させる空調装置の動作を管理する空調管理装置であって、
前記空調装置の目標温度の履歴である運転履歴を取得する運転履歴取得部と、
前記空間内または前記空間外の環境に関する環境情報を取得する環境情報取得部と、
前記運転履歴、前記環境情報を時系列に沿って互いに対応付けて記憶する記憶部と、
前記記憶部を参照し、前記運転履歴および前記環境情報に基づいて、前記環境の状態に応じた前記空調装置の目標温度を指示する動作アルゴリズムを生成するアルゴリズム生成部と
を備える
ことを特徴とする空調管理装置。
【請求項２】
前記アルゴリズム生成部は、前記運転履歴と前記環境情報とに基づいて、前記環境の状態が同一である１乃至複数の目標温度を平均化し、この平均化した目標温度を用いた前記動作アルゴリズムを生成することを特徴とする請求項１記載の空調管理装置。
【請求項３】
複数の前記空間の温度を各々変動させる前記空調装置の各動作を管理し、
前記運転履歴取得部は、前記運転履歴を前記空調装置毎に取得し、
前記環境情報取得部は、前記環境情報を前記空間毎に取得し、
前記記憶部は、前記空間毎に、前記運転履歴、前記環境情報を時系列に沿って互いに対応付けて記憶し、
前記アルゴリズム生成部は、
全ての前記空間における前記運転履歴と前記環境情報とに基づいて、前記環境の状態が同一である１乃至複数の目標温度から、グループ化を行うための目標温度の閾値を決定し、
前記空間毎に、前記運転履歴と前記環境情報とに基づいて、前記環境の状態が同一である１乃至複数の目標温度を平均化し、この平均化した目標温度と前記閾値とを比較して、複数の前記空間の各々を前記環境の状態毎にグループ化し、
前記グループ毎に、前記運転履歴と前記環境情報とに基づいて、前記環境の状態が同一である１乃至複数の目標温度を平均化し、この平均化した目標温度を用いた前記動作アルゴリズムを前記グループ毎に生成する
ことを特徴とする請求項１記載の空調管理装置。
【請求項４】
空調対象となる空間の温度を変動させる空調装置と、
前記空調装置の動作を管理する空調管理装置と、
前記空間内または前記空間外の環境に関する環境情報を検出する環境検出部とを備え、
前記空調管理装置は、
前記空調装置の目標温度の履歴である運転履歴を取得する運転履歴取得部と、
前記環境情報を取得する環境情報取得部と、
前記運転履歴、前記環境情報を時系列に沿って互いに対応付けて記憶する記憶部と、
前記記憶部を参照し、前記運転履歴および前記環境情報に基づいて、前記環境の状態に応じた前記空調装置の目標温度を指示する動作アルゴリズムを生成するアルゴリズム生成部と
を備える
ことを特徴とする空調管理システム。
【発明の詳細な説明】
【技術分野】
【０００１】
本発明は、空調管理装置、空調管理システムに関するものである。
【背景技術】
【０００２】
近年、省エネルギーの社会的要求が高まっている。
【０００３】
しかし、空調管理の実態として、必ずしも快適性および省エネルギーの観点から冷房、暖房等の空調装置を適切に運用しているわけではない。特に、省エネルギーと快適性とが複雑に関係する屋内の空調管理（例えば、温度管理）に関しては、管理の容易さから慣習的な目標温度を設定している。
【０００４】
一方、例えばオフィス、店舗、工場等にいる利用者は、管理者の管理する空調環境下におり、自己の空調環境をコントロールできないことに対して不満がある利用者もいる。
【０００５】
そこで、利用者の空調環境に対する要望を各個人が操作する入力端末から収集し、収集された各要望に基づいて空調管理を行う方法が提案されている（例えば、特許文献１参照）。
【先行技術文献】
【特許文献】
【０００６】
【特許文献１】特開２００７−２５５８３５号公報
【発明の概要】
【発明が解決しようとする課題】
【０００７】
一般に、屋内の空調管理を行う場合、屋内の空調環境は、屋外環境（外気温等）の影響を受ける。しかしながら、外気温等の屋外環境を十分に考慮しないで空調管理を行うため、屋内空間は必ずしも利用者の快適な状態に保たれない場合がある。さらに、快適な空調環境も、利用者毎に異なる。
【０００８】
本発明は、上記事由に鑑みてなされたものであり、その目的は、屋外環境を考慮して、利用者に合った空調環境の快適性を実現することができる空調管理システムを提供することにある。
【課題を解決するための手段】
【０００９】
本発明の空調管理システムは、空調対象となる空間の温度を変動させる空調装置の動作を管理する空調管理装置であって、前記空調装置の目標温度の履歴である運転履歴を取得する運転履歴取得部と、前記空間内または前記空間外の環境に関する環境情報を取得する環境情報取得部と、前記運転履歴、前記環境情報を時系列に沿って互いに対応付けて記憶する記憶部と、前記記憶部を参照し、前記運転履歴および前記環境情報に基づいて、前記環境の状態に応じた前記空調装置の目標温度を指示する動作アルゴリズムを生成するアルゴリズム生成部とを備えることを特徴とする。
【００１０】
この発明において、前記アルゴリズム生成部は、前記運転履歴と前記環境情報とに基づいて、前記環境の状態が同一である１乃至複数の目標温度を平均化し、この平均化した目標温度を用いた前記動作アルゴリズムを生成することが好ましい。
【００１１】
この発明において、複数の前記空間の温度を各々変動させる前記空調装置の各動作を管理し、前記運転履歴取得部は、前記運転履歴を前記空調装置毎に取得し、前記環境情報取得部は、前記環境情報を前記空間毎に取得し、前記記憶部は、前記空間毎に、前記運転履歴、前記環境情報を時系列に沿って互いに対応付けて記憶し、前記アルゴリズム生成部は、全ての前記空間における前記運転履歴と前記環境情報とに基づいて、前記環境の状態が同一である１乃至複数の目標温度から、グループ化を行うための目標温度の閾値を決定し、前記空間毎に、前記運転履歴と前記環境情報とに基づいて、前記環境の状態が同一である１乃至複数の目標温度を平均化し、この平均化した目標温度と前記閾値とを比較して、複数の前記空間の各々を前記環境の状態毎にグループ化し、前記グループ毎に、前記運転履歴と前記環境情報とに基づいて、前記環境の状態が同一である１乃至複数の目標温度を平均化し、この平均化した目標温度を用いた前記動作アルゴリズムを前記グループ毎に生成することが好ましい。
【００１２】
本発明の空調管理システムは、空調対象となる空間の温度を変動させる空調装置と、前記空調装置の動作を管理する空調管理装置と、前記空間内または前記空間外の環境に関する環境情報を検出する環境検出部とを備え、前記空調管理装置は、前記空調装置の目標温度の履歴である運転履歴を取得する運転履歴取得部と、前記環境情報を取得する環境情報取得部と、前記運転履歴、前記環境情報を時系列に沿って互いに対応付けて記憶する記憶部と、前記記憶部を参照し、前記運転履歴および前記環境情報に基づいて、前記環境の状態に応じた前記空調装置の目標温度を指示する動作アルゴリズムを生成するアルゴリズム生成部とを備えることを特徴とする。
【発明の効果】
【００１３】
以上説明したように、本発明では、外部環境に対応して、利用者毎の使い方に応じた空調制御を行うことができる。したがって、屋外環境を考慮して、利用者に合った空調環境の快適性を実現することができるという効果がある。
【図面の簡単な説明】
【００１４】
【図１】実施形態１の空調管理システムの構成を示すブロック図である。
【図２】同上の全体構成を示す構成図である。
【図３】同上の記憶部のデータを示すテーブル図である。
【図４】同上の制御アルゴリズムの作成処理を示すフローチャート図である。
【図５】同上の制御アルゴリズムを示すアルゴリズム図である。
【図６】実施形態２の空調管理システムの全体構成を示す構成図である。
【図７】同上の構成を示すブロック図である。
【図８】実施形態３の全体構成を示す構成図である。
【図９】同上の制御アルゴリズムの作成処理を示すフローチャート図である。
【図１０】同上の制御アルゴリズムを示すアルゴリズム図である。
【発明を実施するための形態】
【００１５】
以下、本発明の実施の形態を図面に基づいて説明する。
【００１６】
（実施形態１）
図２は、本実施形態の空調管理システムの全体構成を示す。空調管理システムは、空調装置１、コントローラ２、ホームゲートウェイ３、センターサーバ４、情報サーバ５とで構成される。なお、コントローラ２とセンターサーバ４とが、本発明の空調管理装置を構成する。
【００１７】
そして、空調装置１は、本システムによって空調環境を管理される空間（例えば建物内のフロア、各部屋、或いは広域な公共エリア）Ｈに設置されている。また、空調装置１、コントローラ２は、宅内ネットワークＮＴ１に接続し、宅内ネットワークＮＴ１は、ホームゲートウェイ３を介してインターネットＮＴ２に接続しており、センターサーバ４、情報サーバ５がインターネットＮＴ２上に存在する。なお、宅内ネットワークＮＴ１は、電力線搬送通信、ＬＡＮケーブルを用いた通信、専用ケーブルを用いた通信、無線通信のいずれを用いてもよい。
【００１８】
図１は、空調管理システムのブロック構成を示す。なお、図１において、ホームゲートウェイ３は省略している。
【００１９】
空調装置１は、空間Ｈの温度（温熱環境）を変動させるエアーコンディショナの機能を有する。空調装置１は、操作部１ａを具備しており、利用者が操作部１ａを操作することによって、運転・停止、目標温度等が設定される。さらに、空調装置１は、コントローラ２による遠隔制御によっても、運転・停止、目標温度等が設定される。また、空調装置１は、実際の運転履歴の情報（運転・停止、目標温度等の各履歴）を、コントローラ２へ送信する機能も有する。
【００２０】
コントローラ２は、機器制御部２ａと、受信部２ｂと、送信部２ｃとを備える。
【００２１】
機器制御部２ａは、宅内ネットワークＮＴ１に接続しており、空調装置１の運転・停止、目標温度の設定等を行って、空調装置１を遠隔制御する。
【００２２】
受信部２ｂは、宅内ネットワークＮＴ１に接続しており、空調装置１から情報を受信する。この受信部２ｂが、本発明の運転履歴取得部を構成している。
【００２３】
送信部２ｃは、宅内ネットワークＮＴ１に接続しており、センターサーバ４へホームゲートウェイ３経由で情報を送信する。
【００２４】
センターサーバ４は、受信部４ａと、記憶タイミング制御部４ｂと、記憶部４ｃと、アルゴリズム生成部４ｄと、機器制御部４ｅとを備える。
【００２５】
受信部４ａは、インターネットＮＴ２経由で、コントローラ２および情報サーバ５から情報を受信する。
【００２６】
記憶タイミング制御部４ｂは、記憶部４ｃに各種情報を記憶させるタイミングを設定する。
【００２７】
記憶部４ｃは、各種情報を記憶する。
【００２８】
アルゴリズム生成部４ｄは、空調装置１の運転・停止タイミングや、目標温度を設定する制御アルゴリズムを作成し、機器制御部４ｅは、この制御アルゴリズムをコントローラ２へ送信する。
【００２９】
次に、本空調管理システムの動作について説明する。
【００３０】
まず、空調装置１は、過去の運転履歴情報（運転・停止、目標温度等の各履歴）を、コントローラ２へ送信する。この運転履歴情報の送信タイミングは、一定時間毎、空調装置１の設定（運転・停止、目標温度）が操作部１ａの操作によって手動設定されたとき等である。また、運転履歴情報には、空調装置１の設置場所の情報（居間、台所等）が付加されている。
【００３１】
コントローラ２では、受信部２ｂが空調装置１から運転履歴情報を取得し、送信部２ｃが、運転履歴情報をセンターサーバ４へ送信する。センターサーバ４では、受信部４ａがコントローラ２から運転履歴情報を取得する。
【００３２】
情報サーバ５は、空間Ｈの所在地を含む地域の気象に関する環境情報（外気温、湿度等）を随時格納しており、センターサーバ４の受信部４ａは、情報サーバ５から環境情報を取得する。すなわち、情報サーバ５が、本発明の環境検出部を構成し、センターサーバ４の受信部４ａが、本発明の環境情報取得部を構成している。
【００３３】
運転履歴情報は、空調装置１の運転・停止、目標温度の変更等の操作時や運転状態変化時などのイベント毎の時刻を示すタイムスタンプが付加されている。環境情報は、外気温、湿度等の測定時刻を示すタイムスタンプが付加されている。
【００３４】
そして、センターサーバ４の記憶タイミング制御部４ｂは、運転履歴情報、環境情報の各タイムスタンプに基づいて、どの時刻における各情報を記憶部４ｃに格納するかを決定する。この時刻には、例えば、毎日において予め決められた所定時刻、空調装置１が利用者によって操作された時刻（運転・停止操作時刻、目標温度の変更操作時刻）、空間Ｈ内の人の在・不在状態が変化した時刻（図示しない人検出手段タイミングを用いる）などがある。
【００３５】
記憶タイミング制御部４ｂは、上述のように決定した各時刻（または各時刻の近傍）における運転履歴情報、環境情報を互いに対応付けて、記憶部４ｃに順次格納していく。すなわち、記憶部４ｃには、記憶タイミング制御部４ｂが決めた各時刻における運転履歴情報、環境情報が、時系列に沿って互いに対応付けて、図３のように格納されている。図３は、時刻、運転履歴、環境情報が互いに対応したテーブル形式であり、運転履歴は、空調装置１の設置場所、空調装置１のオン・オフ状態、空調装置１の目標温度の各項目を有する。
【００３６】
そして、センターサーバ４のアルゴリズム生成部４ｄは、記憶部４ｃに蓄積された各情報に基づいて、空調装置１の最適な制御アルゴリズムを定期的に決定し、制御アルゴリズムを更新していく。
【００３７】
図４は、アルゴリズム生成部４ｄによる制御アルゴリズムの作成処理を示すフローチャートである。ここでは、環境情報として、外気温を用いる。さらに、空調装置１は、夏季の冷房運転を行うものとする。
【００３８】
まず、アルゴリズム生成部４ｄは、記憶部４ｃから、現在時刻に至るまでの所定期間におけるデータを読み込む（Ｓ１）。次に、アルゴリズム生成部４ｄは、記憶部４ｃから読み込んだデータを空調装置１の設置場所毎に分類し（Ｓ２）、設置場所毎の推定処理を開始する（Ｓ３）。
【００３９】
そして、アルゴリズム生成部４ｄは、空調装置１の運転・停止状態が停止から運転に切り替わったときの外気温の履歴に基づいて、空調装置１が運転を開始するときの外気温Ｔｏｎを統計的に推定する（Ｓ４）。
【００４０】
例えば、空調装置１の運転・停止状態が停止から運転に切り替わったときの外気温の履歴が、Ｔａ１，Ｔａ２，．．．，Ｔａｎである場合、Ｔｏｎ＝（Ｔａ１＋Ｔａ２＋．．．＋Ｔａｎ）／Ｎとする。すなわち、空調装置１の運転・停止状態が停止から運転に切り替わったときの外気温の平均値が、外気温Ｔｏｎとなる。
【００４１】
次に、アルゴリズム生成部４ｄは、空調装置１の運転・停止状態が運転から停止に切り替わったときの外気温の履歴に基づいて、空調装置１が停止するときの外気温Ｔｏｆｆを統計的に推定する（Ｓ５）。
【００４２】
例えば、空調装置１の運転・停止状態が運転から停止に切り替わったときの外気温の履歴が、Ｔｂ１，Ｔｂ２，．．．，Ｔｂｎである場合、Ｔｏｆｆ＝（Ｔｂ１＋Ｔｂ２＋．．．＋Ｔｂｎ）／Ｎとする。すなわち、空調装置１の運転・停止状態が運転から停止に切り替わったときの外気温の平均値が、外気温Ｔｏｆｆとなる。
【００４３】
次に、アルゴリズム生成部４ｄは、空調装置１が運転しているときに設定する目標温度Ｔｍを、目標温度および外気温の履歴に基づいて、外気温に対応させて統計的に推定する（Ｓ６）。
【００４４】
例えば、外気温がＴｄ１であるときの空調装置１の目標温度の履歴が、Ｔｅ１，Ｔｅ２，．．．，Ｔｅｎである場合、Ｔｍａ＝（Ｔｅ１＋Ｔｅ２＋．．．＋Ｔｅｎ）／Ｎとする。すなわち、外気温がＴｄ１であるときの目標温度の平均値が、外気温Ｔｄ１に対応する目標温度Ｔｍａとなる。
【００４５】
同様に、外気温がＴｄ２であるときの目標温度の平均値を、外気温Ｔｄ２に対応する目標温度Ｔｍｂとし、外気温がＴｄ３であるときの目標温度の平均値を、外気温Ｔｄ３に対応する目標温度Ｔｍｃとして、外気温毎に目標温度Ｔｍを求める。
【００４６】
そして、アルゴリズム生成部４ｄは、全ての設置場所について、ステップＳ３〜Ｓ６の処理を完了したか否かを判定する（Ｓ７）。全ての設置場所について、ステップＳ３〜Ｓ６の処理を完了していない場合、ステップＳ３に戻り、設置場所を変更して上述の処理を繰り返す。全ての設置場所について、ステップＳ３〜Ｓ６の処理を完了した場合、本フローチャートの処理を終了する。
【００４７】
そして、アルゴリズム生成部４ｄは、空調装置１が運転を開始するときの外気温Ｔｏｎ、空調装置１が停止するときの外気温Ｔｏｆｆ、外気温毎の目標温度Ｔｍの各推定結果に基づいて、空調装置１の最適な制御アルゴリズムを決定する。
【００４８】
例えば、図５は、アルゴリズム生成部４ｄが決定した制御アルゴリズムの一例である。
【００４９】
空調装置１が運転を開始するときの外気温Ｔｏｎ、空調装置１が停止するときの外気温Ｔｏｆｆは、ともに外気温Ｔ１である。すなわち、外気温Ｔ１未満であれば、空調装置１は停止し、外気温Ｔ１以上であれば、空調装置１は運転する。また、Ｔ１≦外気温＜Ｔ２の場合、空調装置１の目標温度Ｔｍ１２に設定され、Ｔ２≦外気温の場合、空調装置１の目標温度Ｔｍ１１（＜Ｔｍ１２）に設定される。
【００５０】
そして、機器制御部４ｅは、この制御アルゴリズムをコントローラ２へ送信する。コントローラ２の機器制御部４ａは、この制御アルゴリズムに基づいて、空調装置１の運転・停止、目標温度の設定等を行って、空調装置１を遠隔制御する。
【００５１】
また、コントローラ２は、この制御アルゴリズムを、利用者に画像等で提示して、この制御アルゴリズムに沿った空調装置１の手動操作を促してもよい。
【００５２】
また、環境情報としては、外気温以外に、室内外の湿度等を用いてもよく、外気温と湿度とを併用してもよい。
【００５３】
そして、この制御アルゴリズムの更新は定期的に行われており、利用者の使い方を反映した最適な制御アルゴリズムを常に用いることができる。
【００５４】
このように、本実施形態では、外部環境に対応して、利用者毎の使い方に応じた空調制御を行うことができる。したがって、本システムでは、屋外環境を考慮して、利用者に合った空調環境の快適性を実現することができる。
【００５５】
なお、外気温Ｔｏｎ、外気温Ｔｏｆｆ、目標温度Ｔｍの導出には平均値演算を用いたが、最小二乗法を用いて導出してもよい。
【００５６】
また、アルゴリズム生成部４ｄは、目標温度を切り替える外気温の境界値も、目標温度および外気温の履歴に基づいて、統計的に推定してもよい。
【００５７】
（実施形態２）
図６は、本実施形態の空調管理システムの全体構成を示す。空調管理システムは、空調装置１、コントローラ２、入力装置３、環境検出部６とで構成される。
【００５８】
本実施形態では、本システムによって空調環境を管理される空間Ｈに環境検出部６を設けて、コントローラ２は、この環境検出部６から、空間Ｈの所在地における気象に関する環境情報（外気温、湿度等）を取得する。また、データ記憶やアルゴリズム生成の各処理は、外部のセンターサーバではなく、コントローラ２で実行される。すなわち、コントローラ２が、本発明の空調管理装置を構成する。
【００５９】
図７は、コントローラ２のブロック構成を示す。
【００６０】
コントローラ２は、機器制御部２ａ、受信部２ｂを、実施形態１と同様に備える。さらに、実施形態１のセンターサーバ４が備えていた記憶タイミング制御部４ｂ、記憶部４ｃ、アルゴリズム生成部４ｄも備える。
【００６１】
そして、機器制御部２ａ、受信部２ｂと、記憶タイミング制御部４ｂ、記憶部４ｃ、アルゴリズム生成部４ｄとは、コントローラ２内で互いに情報授受が可能に構成されている。また、コントローラ２の受信部２ｂは、環境検出部６から環境情報を取得する本発明の環境情報取得部を構成している。
【００６２】
そして、コントローラ２の各部が、実施形態１と同様に動作することによって、外部環境に対応して、利用者毎の使い方に応じた空調制御を行うことができる。したがって、本システムでは、屋外環境を考慮して、利用者に合った空調環境の快適性を実現することができる。
【００６３】
（実施形態３）
図８は、本実施形態の空調管理システムの全体構成を示す。空調管理システムは、センターサーバ４による空調管理の対象として、複数の空間（例えば、複数の家庭）Ｈ１〜Ｈ３を設けている。空間Ｈ１〜Ｈ３の各々は、空調装置１、コントローラ２、ホームゲートウェイ３を備える。なお、実施形態１と同様の構成には同一の符号を付して説明は省略する。なお、コントローラ２とセンターサーバ４とが、本発明の空調管理装置を構成する。
【００６４】
そして、センターサーバ４の受信部４ａは、空間Ｈ１〜Ｈ３の各空調装置１の運転履歴情報を取得するまた、受信部４ａは、情報サーバ５から、空間Ｈ１〜Ｈ３の各環境情報を取得する。
【００６５】
センターサーバ４の記憶部４ｃは、空間Ｈ１〜Ｈ３毎に、記憶タイミング制御部４ｂが決めた各時刻における運転履歴情報、環境情報が、時系列に沿って互いに対応付けて格納されている。ここでは、環境情報として、外気温を用いる。
【００６６】
図９は、センターサーバ４のアルゴリズム生成部４ｄによる制御アルゴリズムの作成処理を示すフローチャートである。本フローチャートでは、空間Ｈ１〜Ｈ３（家庭等）の各々が、「目標温度を高めに設定する傾向のある高設定グループ」、「目標温度を標準的に設定する傾向のある標準設定グループ」、「目標温度を低めに設定する傾向のある低設定グループ」のいずれのグループに属するのか判定する。なお、空調装置１は、夏季の冷房運転を行うものとする。
【００６７】
まず、アルゴリズム生成部４ｄは、記憶部４ｃから、現在時刻に至るまでの所定期間における空間Ｈ１〜Ｈ３の全データを読み込む（Ｓ１１）。
【００６８】
次に、アルゴリズム生成部４ｄは、ステップＳ１１で読み込んだ運転履歴情報と環境情報とに基づいて、外気温が同一であるときの１乃至複数の目標温度から、グループ化を行うための目標温度の閾値を決定する（Ｓ１２）。
【００６９】
例えば、空間Ｈ１〜Ｈ３において、外気温Ｔｆ１における目標温度の履歴が、Ｔｇ１、Ｔｇ２、．．．、Ｔｇｎ（但し、Ｔｇ１＜Ｔｇ２＜．．．＜Ｔｇｎ）であるとする。このとき、外気温Ｔｆ１において、高設定グループと標準設定グループとを区別する閾値Ｋ１は、Ｋ１＝（Ｔｇ１＋２Ｔｇｎ）／３となる。また、外気温Ｔｆ１において、標準設定グループと低設定グループとを区別する閾値Ｋ２は、Ｋ２＝（２Ｔｇ１＋Ｔｇｎ）／３となる。
【００７０】
次に、アルゴリズム生成部４ｄは、空間Ｈ１〜Ｈ３毎に、ステップＳ１１で読み込んだ運転履歴情報と環境情報とに基づいて、外気温が同一であるときの１乃至複数の目標温度を平均化する。そして、アルゴリズム生成部４ｄは、空間Ｈ１〜Ｈ３毎に、この外気温毎に平均化した目標温度Ｔｍｘと閾値Ｋ１，Ｋ２とを比較して、外気温毎に空間Ｈ１〜Ｈ３の各々をグループ化する（Ｓ１３）。
【００７１】
すなわち、外気温Ｔｆ１において、目標温度Ｔｍｘ＞Ｋ１となる空間Ｈは、外気温Ｔｆ１において高設定グループに属する。また、外気温Ｔｆ１において、Ｋ２＜目標温度Ｔｍｘ≦Ｋ１となる空間Ｈは、外気温Ｔｆ１において標準設定グループに属する。また、外気温Ｔｆ１において、目標温度Ｔｍｘ≦Ｋ２となる空間Ｈは、外気温Ｔｆ１において低設定グループに属する。
【００７２】
具体的に、空間Ｈ１において、外気温Ｔｆ１における目標温度の履歴が、１８℃、１９℃、２０℃、２１℃とする。また、空間Ｈ２において、外気温Ｔｆ１における目標温度の履歴が、２２℃、２３℃、２４℃、２５℃とする。また、空間Ｈ３において、外気温Ｔｆ１における目標温度の履歴が、２６℃、２７℃、２８℃、２９℃とする。すなわち、空間Ｈ１〜Ｈ３において、外気温Ｔｆ１における目標温度の履歴は、１８℃、１９℃、２０℃、２１℃、２２℃、２３℃、２４℃、２５℃、２６℃、２７℃、２８℃、２９℃となる。
【００７３】
このとき、高設定グループと標準設定グループとを区別する閾値Ｋ１は、Ｋ１＝（１８＋２×２９）／３＝２５．３℃となる。また、標準設定グループと低設定グループとを区別する閾値Ｋ２は、Ｋ２＝（２×１８＋２９）／３＝２１．７℃となる。
【００７４】
そして、空間Ｈ１の外気温Ｔｆ１における目標温度の履歴が、１８℃、１９℃、２０℃、２１℃であることから、外気温Ｔｆ１時において平均化した空間Ｈ１の目標温度Ｔｍｘ＝２７．５℃となる。したがって、空間Ｈ１は、目標温度Ｔｍｘ（２７．５℃）＞Ｋ１（２５．３℃）となり、外気温Ｔｆ１において高設定グループとなる。
【００７５】
また、空間Ｈ２の外気温Ｔｆ１における目標温度の履歴が、２２℃、２３℃、２４℃、２５℃であることから、外気温Ｔｆ１時において平均化した空間Ｈ２の目標温度Ｔｍｘ＝２３．５℃となる。したがって、空間Ｈ２は、Ｋ２（２１．７℃）＜目標温度Ｔｍｘ（２７．５℃）＜Ｋ１（２５．３℃）となり、外気温Ｔｆ１において標準設定グループとなる。
【００７６】
また、空間Ｈ３の外気温Ｔｆ１における目標温度の履歴が、２６℃、２７℃、２８℃、２９℃であることから、外気温Ｔｆ１において平均化した空間Ｈ３の目標温度Ｔｍｘ＝１９．５℃となる。したがって、空間Ｈ３は、目標温度Ｔｍｘ（１９．５℃）＜Ｋ２（２１．７℃）となり、外気温Ｔｆ１において低設定グループとなる。
【００７７】
次に、アルゴリズム生成部４ｄは、グループ毎に、ステップＳ１１で読み込んだ運転履歴情報と環境情報とに基づいて、外気温が同一であるときの１乃至複数の目標温度を平均化する。すなわち、アルゴリズム生成部４ｄは、各グループにおいて外気温毎の目標温度Ｔｍｙを導出する（Ｓ１４）。
【００７８】
このように、アルゴリズム生成部４ｄは、各空間Ｈを、高設定グループ、標準設定グループ、低設定グループのいずれかに外気温毎に分類し、各グループにおける外気温毎の目標温度Ｔｍｙを設定している。
【００７９】
また、アルゴリズム生成部４ｄは、空調装置１が運転を開始するときの外気温Ｔｏｎ、空調装置１が停止するときの外気温Ｔｏｆｆも、高設定グループ、標準設定グループ、低設定グループ毎に統計的に推定する（Ｓ１５）。この空調装置１が運転を開始するときの外気温Ｔｏｎ、空調装置１が停止するときの外気温Ｔｏｆｆの推定処理も、グループ毎の平均化処理等によって行われる。
【００８０】
そしてアルゴリズム生成部４ｄは、上述のように推定した各グループにおける外気温毎の目標温度Ｔｍｙ、運転開始時の外気温Ｔｏｎ、停止時の外気温Ｔｏｆｆを用いて、空調装置１の動作を指示する動作アルゴリズムをグループ毎に生成する。
【００８１】
例えば、図１０は、アルゴリズム生成部４ｄが決定した制御アルゴリズムの一例である。図１０において、Ｙ１は、高設定グループの制御アルゴリズムであり、Ｙ２は、低設定グループの制御アルゴリズムである。
【００８２】
高設定グループの制御アルゴリズムＹ１は、空調装置１が運転を開始するときの外気温Ｔｏｎ、空調装置１が停止するときの外気温Ｔｏｆｆは、ともに外気温Ｔ１１である。すなわち、外気温Ｔ１１未満であれば、空調装置１は停止し、外気温Ｔ１１以上であれば、空調装置１は運転を開始する。また、Ｔ１１≦外気温＜Ｔ１２の場合、空調装置１の目標温度Ｔｍ２２に設定され、Ｔ１２≦外気温の場合、空調装置１の目標温度Ｔｍ２１（＜Ｔｍ２２）に設定される。
【００８３】
低設定グループの制御アルゴリズムＹ２は、空調装置１が運転を開始するときの外気温Ｔｏｎ、空調装置１が停止するときの外気温Ｔｏｆｆは、ともに外気温Ｔ２１である。すなわち、外気温Ｔ２１未満であれば、空調装置１は停止し、外気温Ｔ２１以上であれば、空調装置１は運転を開始する。また、Ｔ２１≦外気温＜Ｔ２２の場合、空調装置１の目標温度Ｔｍ３２に設定され、Ｔ２２≦外気温の場合、空調装置１の目標温度Ｔｍ３１（＜Ｔｍ３２）に設定される。
【００８４】
ここで、目標温度Ｔｍ２１＞目標温度Ｔｍ３１、目標温度Ｔｍ２２＞目標温度Ｔｍ３２、Ｔ１１＞Ｔ２１、Ｔ１２＞Ｔ２２に設定されている。
【００８５】
そして、機器制御部４ｅは、空間Ｈ毎に、環境情報として取得した外気温に基づいて、当該空間Ｈが属するグループに応じた制御アルゴリズムをコントローラ２へ送信する。コントローラ２の機器制御部２ａは、この制御アルゴリズムに基づいて、空調装置１の運転・停止、目標温度の設定等を行って、空調装置１を遠隔制御する。
【００８６】
また、コントローラ２は、この制御アルゴリズムを、利用者に画像等で提示して、この制御アルゴリズムに沿った空調装置１の手動操作を促してもよい。
【００８７】
このように、本実施形態では、複数の空間Ｈがある場合、同じ傾向を示す他の空間Ｈの履歴も用いて制御アルゴリズムを作成するので、より汎用性の高い空調制御を行うことができる。
【符号の説明】
【００８８】
１  空調装置
２  コントローラ
２ｂ  受信部（運転履歴取得部）
４  センターサーバ
４ａ  受信部（環境情報取得部）
４ｃ  記憶部
４ｄ  アルゴリズム生成部
５  情報サーバ（環境検出部）
【図１】
2014016093.tif 000003
【図２】
2014016093.tif 000004
【図３】
2014016093.tif 000005
【図４】
2014016093.tif 000006
【図５】
2014016093.tif 000007
【図６】
2014016093.tif 000008
【図７】
2014016093.tif 000009
【図８】
2014016093.tif 000010
【図９】
2014016093.tif 000011
【図１０】
2014016093.tif 000012